(57)【要約】【課題】利用者の友人や知人に対してのみメールアドレス変更通知を行うことのできるメールアドレス変更通知システムおよびメールアドレス変更通知方法を提供する。【解決手段】利用者の通信端末におけるメール送受信用に登録されたアドレス帳のメールアドレス宛に変更通知メールを送信する。これにより、迷惑メール送信者に変更通知メールを送信することがない。また、利用者のメールアドレス変更時の作業の負担を軽減することができる。【選択図】図１２
2007233483.tif 000002
【特許請求の範囲】
【請求項１】
利用者の通信端末のメールアドレスの変更を通知する変更通知メールを作成するメール作成手段と、前記メール作成手段が作成した前記変更通知メールを前記利用者の通信端末におけるメール送受信用に登録されたアドレス帳のメールアドレス宛に送信する送信手段とを備えたことを特徴とするメールアドレス変更通知システム。
【請求項２】
請求項１のメールアドレス変更通知システムにおいて、
前記送信先の通信端末と通信を行って、前記利用者の通信端末に保存されている前記アドレス帳のデータを受信するアドレス情報受信手段と、前記アドレス情報受信手段で受信した前記アドレス帳のデータを記憶する記憶手段とを備え、前記送信手段は、前記記憶手段に保存されたアドレス帳のメールアドレス宛に前記変更通知メールを送信することを特徴とするメールアドレス変更通知システム。
【請求項３】
請求項２のメールアドレス変更通知システムにおいて、
前記記憶手段は、前記アドレス帳に登録されたメールアドレスうち、前記変更通知メールを送信しないメールアドレスと、前記変更通知メールを送信するメールアドレスとを区別する情報を、前記アドレス帳に登録されたメールアドレスと関連付けて記憶することを特徴とするメールアドレス変更通知システム。
【請求項４】
請求項２または３のメールアドレス変更通知システムにおいて、
前記アドレス情報受信手段は、前記利用者の通信端末から、前記通信端末のアドレス帳のデータを所定のタイミングで受信し、前記記憶手段に保存されているアドレス帳のデータが、前記アドレス情報受信手段で受信したアドレス帳データで更新されることを特徴するメールアドレス変更通知システム。
【請求項５】
請求項２乃至４いずれかのメールアドレス変更通知システムにおいて、
前記記憶手段に保存されているデータと同期が取られた検索用のデータベースを備え、前記送信手段は、前記検索用のデータベースを用いることを特徴とするメールアドレス変更通知システム。
【請求項６】
請求項２乃至５いずれかのメールアドレス変更通知システムにおいて、
前記通信端末からのアドレス帳の編集情報を受信する編集情報受信手段と、前記受信した編集情報に基づいて、前記記憶手段に保存されたアドレス帳のデータを修正する編集手段とを備えたことを特徴とするメールアドレス変更通知システム。
【請求項７】
請求項１乃至６いずれかのメールアドレス変更通知システムにおいて、
前記利用者の通信端末は、移動通信端末であることを特徴とするメールアドレス変更通知システム。
【請求項８】
利用者の通信端末のメールアドレスの変更を通知する変更通知メールを作成するステップと、前記変更通知メールを、前記利用者の通信端末におけるメール送受信用に登録されたアドレス帳のメールアドレス宛に送信するステップとを有したことを特徴とするメールアドレス変更通知方法。
【発明の詳細な説明】
【技術分野】
【０００１】
本発明は、利用者の通信端末のメールアドレスの変更を通知する変更通知メールを送信するメールアドレス変更通知システムおよびメールアドレス変更通知方法に関するものである。
【背景技術】
【０００２】
近年、電子メールの送受信可能な不特定多数の通信端末に対して、無作為に広告宣伝やサイト閲覧などの勧誘などの電子メールを送信するいわゆる迷惑メールが問題となっている。メールの送受信を行う端末が携帯電話機など移動通信端末の場合は、一般にメールの受信処理に要する通信費を受信者が負担するため、このような迷惑メールを受信する度に不要な通信費を支払う問題が生じてしまう。また、このような迷惑メールは、例えば、深夜など、ユーザー（受信者）が予期しない時間帯にメールが届く場合があり、メールの着信音によってユーザーの睡眠が阻害されてしまうなどの問題も生じる。
【０００３】
このような迷惑メールを受信しないための対策の一つとして、利用者の携帯電話機のメールアドレスを長いメールアドレスに変更する方法等が挙げられる。しかし、利用者がメールアドレスを変更した場合、利用者自身がメールのやりとりをする友人・知人等に対してメールアドレスを変更した旨をメールなどで通知する必要が生じる。このような行為は、利用者にとって大変面倒な作業であり、また、変更通知を知らせ忘れてしまう問題もある。
【０００４】
そこで、利用者がメールアドレスを変更した場合、メールアドレスを変更した旨をメールで自動的に通知するメールアドレス変更通知システムが特許文献１に記載されている。特許文献１に記載のメールアドレス変更通知システムでは、利用者の旧メールアドレス宛にメールが送信された場合は、そのメールの送信者に対して、利用者が新メールアドレスにしたことが通知される。
【０００５】
【特許文献１】特開２００１−１１１６０１号公報
【発明の開示】
【発明が解決しようとする課題】
【０００６】
しかしながら、特許文献１においては、利用者の旧メールアドレスに送信した送信者全てに対して利用者が新メールアドレスにしたことを通知するので、利用者の旧メールアドレスに迷惑メールを送信した送信者にも利用者の新メールアドレスが通知されてしまうという問題が生じる。
【０００７】
本発明は、上記問題に鑑みなされたものであり、その目的とするところは、利用者のメールアドレス変更時の作業の負担を軽減できるとともに、利用者の友人や知人に対してのみメールアドレス変更通知を行うことのできるメールアドレス変更通知システムおよびメールアドレス変更通知方法を提供することである。
【課題を解決するための手段】
【０００８】
上記目的を達成するために、請求項１の発明は、利用者の通信端末のメールアドレスの変更を通知する変更通知メールを作成するメール作成手段と、前記メール作成手段が作成した前記変更通知メールを前記利用者の通信端末におけるメール送受信用に登録されたアドレス帳のメールアドレス宛に送信する送信手段とを備えたことを特徴とするものである。
また、請求項２の発明は、請求項１のメールアドレス変更通知システムにおいて、前記送信先の通信端末と通信を行って、前記利用者の通信端末に保存されている前記アドレス帳のデータを受信するアドレス情報受信手段と、前記アドレス情報受信手段で受信した前記アドレス帳のデータを記憶する記憶手段とを備え、前記送信手段は、前記記憶手段に保存されたアドレス帳のメールアドレス宛に前記変更通知メールを送信することを特徴とするものである。
また、請求項３の発明は、請求項２のメールアドレス変更通知システムにおいて、前記記憶手段は、前記アドレス帳に登録されたメールアドレスうち、前記変更通知メールを送信しないメールアドレスと、前記変更通知メールを送信するメールアドレスとを区別する情報を、前記アドレス帳に登録されたメールアドレスと関連付けて記憶することを特徴とするものである。
また、請求項４の発明は、請求項２または３のメールアドレス変更通知システムにおいて、前記アドレス情報受信手段は、前記利用者の通信端末から、前記通信端末のアドレス帳のデータを所定のタイミングで受信し、前記記憶手段に保存されているアドレス帳のデータが、前記アドレス情報受信手段で受信したアドレス帳データで更新されることを特徴するメールアドレス変更通知システム。
また、請求項５の発明は、請求項２乃至４いずれかのメールアドレス変更通知システムにおいて、前記記憶手段に保存されているデータと同期が取られた検索用のデータベースを備え、前記送信手段は、前記検索用のデータベースを用いることを特徴とするものである。
また、請求項６の発明は、請求項２乃至５いずれかのメールアドレス変更通知システムにおいて、前記通信端末からのアドレス帳の編集情報を受信する編集情報受信手段と、前記受信した編集情報に基づいて、前記記憶手段に保存されたアドレス帳のデータを修正する編集手段とを備えたことを特徴とするものである。
また、請求項７の発明は、請求項１乃至６いずれかのメールアドレス変更通知システムにおいて、前記利用者の通信端末は、移動通信端末であることを特徴とするものである。
また、請求項８の発明は、利用者の通信端末のメールアドレスの変更を通知する変更通知メールを作成するステップと、前記変更通知メールを、前記利用者の通信端末におけるメール送受信用に登録されたアドレス帳のメールアドレス宛に送信するステップとを有したことを特徴とするものである。
【発明の効果】
【０００９】
請求項１乃至８の発明によれば、利用者の通信端末におけるメール送受信用に登録されたアドレス帳のメールアドレス宛に、メールアドレスの変更を通知する変更通知メールを送信している。送信先の通信端末のアドレス帳に登録されるメールアドレスは、送信先の通信端末の利用者が通常よくメールのやり取りを行う友人や知人等のメールアドレスであり、利用者にとって不要と思われる迷惑メールのメールアドレスが、保存されている場合は通常あり得ない。よって、メールアドレスの変更を通知する変更通知メールを、迷惑メール送信者に送信することがなく、利用者の友人や知人に対してのみメールアドレス変更通知を行うことができる。しかも、登録済みのアドレス帳のメールアドレスを変更通知メールの送信に用いるので、利用者のメールアドレス変更時の作業の負担を軽減することができるという効果を奏する。
【発明を実施するための最良の形態】
【００１０】
以下、本発明のメールアドレス変更通知システムの一実施形態について、図面を参照しながら説明する。
図１は、メールアドレス変更通知システム１０の概要を示すブロック図である。メールアドレス変更通知システム１０は、メールサーバ１１と、キャッシュサーバ１３と、アドレスバックアップサーバ１２とを備えている。
アドレスバックアップサーバ１２は、携帯電話機６０のアドレス帳のデータ（以下、「アドレス帳情報」という。）やパーソナルコンピュータ２からのアドレス帳編集情報を受信する受信手段と、携帯電話機６０のアドレス帳をバックアップするための記憶手段たるデータベース１２ａとを備えている。バックアップアップサーバ１２は、携帯電話機６０から所定のタイミングでアドレス帳情報を受信してデータベースに保存されているアドレス帳を更新することにより、携帯電話機６０に保存されているアドレス帳と同期が取られている。また、アドレスバックアップサーバ１２は、パーソナルコンピュータ２からのアドレス帳編集情報を受信して、記憶手段に保存されているアドレス帳をアドレス帳編集情報に基づき修正する編集手段も備えている。
【００１１】
検索用のデータベースを有するキャッシュサーバ１３は、アドレスバックアップサーバ１２に保存されている各携帯電話機６０のアドレス帳のデータがコピーされて保存されている。キャッシュサーバ１３は、アドレス帳情報をアドレスバックアップサーバ１２から所定のタイミングで取得することにより、アドレスバックアップサーバ１２内のアドレス帳のデータとの間で同期が取られる。このキャッシュサーバ１３内のアドレス帳のデータベースは、メールサーバ１１からの要求に応じてメールアドレスの検索に用いられる。
【００１２】
メールサーバ１１は、インターネット４または移動通信網５を介して送信されたメールを保管し、移動通信端末たる携帯電話機６０からの要求に応じて、要求先の携帯電話機６０に対応するメールを送信している。また、メールサーバ１１は、検索部１１ａと、メール作成手段たるメール作成部１１ｂとを有している。メール作成部１１ｂは、携帯電話機からメールアドレス変更情報を受信して、メールアドレス変更通知メールを作成する。検索部１１ａは、携帯電話機６０から携帯電話番号を受信し、キャッシュサーバ１３から、この携帯電話番号に対応するアドレス帳情報を検索し、このアドレス帳情報から、変更通知メールの送信先として登録されているメールアドレスを取得している。メールサーバ１１は、検索部１１ａが取得したメールアドレス宛に、メール作成部１１ｂが作成した変更通知メールを送信する。
【００１３】
図２は本発明の実施形態に係る携帯電話機６０の外観図であり、図３は同携帯電話機６０のハードウェアの概略ブロック図である。携帯電話機６０は、システムバス２００、ＣＰＵ２０１、ＲＡＭ２０２やＲＯＭ２０３等からなる内部記憶装置、データ入力キー（テンキー、＊キー、＃キー）６１、通話開始キー６２、終話キー６３、スクロールキー６４、多機能キー６５等からなる入力装置２０４、液晶ディスプレイ（ＬＣＤ）６７やスピーカ６８等からなる出力装置２０５、携帯電話通信網を介して他の携帯電話機や各種サーバと通信するための携帯電話用通信装置２０６を備えている。ＣＰＵ２０１やＲＡＭ２０２等の構成要素はお互いに、システムバス２００を介して、各種データやプログラムの命令等のやり取りを行っている。内部記憶装置には、ユーザーが多機能キー６５等の入力装置を用いて相手先のメールアドレスなどの情報を入力したアドレス帳情報が記憶されている。
【００１４】
先の図１に示す、アドレスバックアップサーバ１２は、携帯電話機６０のアドレス帳情報を携帯電話機６０から受信して記憶し、携帯電話機６０のアドレス帳のデータと同期が取られている。アドレス帳のデータの同期は、以下のようにして行われる。ユーザーは、携帯電話機６０を操作して液晶ディスプレイ６７に図４（ａ）に示すようなメニュー選択画面を表示する。このメニュー選択画面上で「アドレス帳のバックアップ実行」を選択して、図４（ｂ）に示すような、確認画面を表示する。そして、ユーザーが「ＯＫ」を選択すると、携帯電話機６０は、この携帯電話機６０の電話番号およびメールアドレスと、アドレス帳に登録されたメールアドレスとを、移動通信網５を介してアドレスバックアップサーバ１２へ送信する。アドレスバックアップサーバ１２は、図５に示すように、電話番号と、アドレス帳情報（相手先のメールアドレスおよび変更通知送信先情報）と関連付けたアドレステーブルをサーバ内のデータベースに保存する。このようにして、携帯電話機６０を操作することで、アドレスバックアップサーバ１２に保存されているアドレス帳と、携帯電話機６０のアドレス帳との同期が取られる。このようにして、携帯電話機６０を操作することで、アドレスバックアップサーバ１２に保存されているアドレス帳情報と、携帯電話機６０のアドレス帳情報との間の同期が取られる。
【００１５】
また、上記のように手動でアドレス帳情報をアドレスバックアップサーバ１２に送信する以外に、自動的にアドレス帳情報をアドレスバックアップサーバ１２に送信するようにしてもよい。例えば、携帯電話機６０でのアドレス帳の編集が終了して所定時間（例えば、１０分後）に自動的にアドレス帳情報をアドレスバックアップサーバ１２に送信するようにしてもよい。また、予め設定しておいた所定のスケジュールに基づき自動的にアドレス帳情報をアドレスバックアップサーバ１２に送信するようにしてもよい。スケジュールの設定は、例えば、次のようにして行うことができる。図６（ａ）に示すように、携帯電話機６０の表示画面のメニュー選択画面に、「アドレス帳バックアップスケジュールの設定」を設ける。ユーザーがこの「アドレス帳バックアップスケジュールの設定」選択したら、図６（ｂ）のようなスケジュール設定画面を表示する。ユーザーは、図６（ｂ）に示された画面から、毎日行うか、毎週行うか、毎月行うかを選択し、送信時間や、送信日時を決定する。携帯電話機６０は、このように設定された送信スケジュールを内部メモリに記憶し、この内部メモリに記憶された送信スケジュールに基づいて、アドレス帳情報をアドレスバックアップサーバ１２に送信する。
【００１６】
また、アドレスバックアップサーバ１２にバックアップされているアドレス帳を、インターネット上にあるパーソナルコンピュータ２で編集できるようになっている。図７は、アドレス帳編集時のアドレスバックアップサーバ１２の制御フローである。図８は、アドレスバックアップサーバ１２のアドレス帳を編集するときのシーケンス図である。
まず、パーソナルコンピュータ２は、所定の編集作業用のＷＥＢページにアクセスし、ユーザが電話番号と認証パスワードを入力すると、電話番号、認証パスワードとともにアドレスデータ帳情報取得要求を、インターネット４を介してアドレスバックアップサーバ１２に送信する。アドレスバックアップサーバ１２は、パーソナルコンピュータ２から電話番号及び認証パスワードとともにアドレスデータ帳情報取得要求を受信したら（Ｓ１）、認証パスワードが正しいか否かを判定する（Ｓ２）。アドレスバックアップサーバ１２は、電話番号と認証パスワードとが関連付けられて記憶されたデータテーブルを保存しており、取得した電話番号と認証パスワードとがアドレスバックアップサーバ１２に記憶されている電話番号と認証パスワードと一致しているか否かを判定する。一致していない場合は、電話番号または認証パスワードが間違いと判定し（Ｓ２のＮＯ）、その旨が記載されたＷＥＢページをパーソナルコンピュータ２に送信する。
【００１７】
一方、一致している場合は、入力された電話番号と認証パスワードが正しいと判定し（Ｓ２のＹＥＳ）、取得した電話番号に対応したアドレス帳情報を、インターネット４を介してパーソナルコンピュータ２へ送信する（Ｓ３）。パーソナルコンピュータ２は、アドレス帳が表示されたＷＥＢページをユーザーが操作してアドレス帳の編集を行うと、アドレス帳編集情報をアドレスバックアップサーバ１２へ送信する。アドレスバックアップサーバ１２は、アドレス帳編集情報を受信したら（Ｓ４のＹＥＳ）、そのアドレス帳編集情報に基づいて、アドレス帳を更新する（Ｓ５）。次に、アドレスバックアップサーバ１２は、携帯電話機６０に対して編集後のアドレス帳情報を送信する（Ｓ６）。携帯電話機６０は、アドレス帳情報を受信したら、携帯電話機６０内のアドレス帳を自動的に受信したアドレス帳情報に更新する。
【００１８】
次に、変更通知メールの送信設定について、説明する。図９は、変更通知メールの送信設定を行っているときの携帯電話機６０のディスプレイ６７の画面遷移の説明図である。
ユーザーは、携帯電話機６０の表示画面に図９（ａ）のメニュー選択画面を表示させる。そして、この図９（ａ）のメニュー選択画面上で利用者が「変更通知送信先設定」を選択すると、図９（ｂ）に示すような変更通知送信先の設定画面が表示される。この変更通知送信先の設定画面には、説明文の下にアドレス帳に登録されたアドレス帳情報が表示されており、利用者は、変更通知送信先として指定するメールアドレスにチェックを入れる。そして、利用者は、変更通知送信先の選択を行ったら、図９（ｃ）に示す設定完了画面がディスプレイ６７に表示される。
なお、変更通知送信先の設定方法は、これに限らず、例えば、アドレス帳の登録・修正画面上でも、変更通知送信先を指定できるようになっている。また、変更通知送信先に指定したか否かは、アドレス帳から確認できるようになっている。もちろん、このような機能を備えずに、利用者のメールアドレスを変更された際は、アドレス帳に登録されたメールアドレス全部に変更通知メールを送信するようにしてもよい。
【００１９】
図９（ｃ）に示す設定完了画面の「ＯＫ」を選択すると、携帯電話機６０の内部記憶装置に保存されているアドレス帳情報を更新する。また、携帯電話番号を付与して、アドレス帳情報をバックアップサーバ１２に送信する。バックアップサーバ１２は、携帯電話機６０から、携帯電話番号が付与されたアドレス帳情報を受信して、データベース１２ａに保存されているアドレス帳を更新する。
【００２０】
次に、利用者がメールアドレスを変更したときの制御について説明する。
図１０は、利用者がメールアドレスを変更するときの携帯電話機のディスプレイの画面遷移の説明図である。図１１は、利用者がメールアドレスを変更したときのメールアドレス変更通知システム１０のシーケンス図である。図１２は、メールアドレス変更通知システム１０の制御フローである。
利用者は、携帯電話機６０のディスプレイ６７に図１０（ａ）のメニュー選択画面を表示させる。そして、この図１０（ａ）のメニュー選択画面上で利用者が「メールアドレス変更」を選択すると、携帯電話機６０のディスプレイ６７に図９（ｂ）に示すようなメールアドレス変更画面が表示される。利用者は、メールアドレス変更画面のメールアドレス入力部１２０に新メールアドレスを入力して、ＯＫボタンを選択すると、携帯電話機６０から、メールアドレス入力部１２０に入力した新メールアドレスがメールサーバ１１に送信される。
【００２１】
メールサーバ１１は、新メールアドレスを受信したら（Ｓ１１）、受信した新メールアドレスと同一のアドレスをメールサーバ１１から検索し、新メールアドレスと同一のメールアドレスがメールサーバ１１に既に登録されているか否かをチェックする（Ｓ１２）。新アドレスと同一のメールアドレスがメールサーバ１１に既に登録されている場合（Ｓ１２のＹＥＳ）、メールサーバ１１は、同一のメールアドレスがあった旨を検索結果として、携帯電話機６０に送信する。携帯電話機６０は、同一のメールアドレスがあった旨を検索結果として受信したら、図１０（ｃ）に示す画面をディスプレイ６７に表示する。利用者は、「戻る」を選択して、図１０（ｂ）の画面を再び表示して、メールアドレス入力部１２０に異なる新メールアドレスを入力する。
【００２２】
一方、新アドレスと同一のメールアドレスがメールサーバ１１に登録されていない場合（Ｓ１２のＮＯ）、メールサーバ１１は、同一のメールアドレスがなかった旨を検索結果として、携帯電話機６０に送信する。携帯電話機６０は、同一のメールアドレスがなかった旨の検索結果を受信したら、新メールアドレスに変更するとともに、図１０（ｄ）に示す画面をディスプレイ６７に表示する。利用者が、「新アドレスを通知する。」を選択すると、携帯電話機６０は、携帯電話番号と、新アドレスと、旧アドレスとをメールサーバ１１に送信する。
【００２３】
メールサーバ１１が、携帯電話番号と、新アドレスと、旧アドレスとを受信したら（Ｓ１３のＹＥＳ）、メールサーバ１１は、旧アドレスを削除し、新メールアドレスを登録する（Ｓ１４）。また、メールサーバ１１の検索部１１ａが、キャッシュサーバ１３に保存されているアドレステーブルから受信した携帯電話番号に対応するアドレス帳を特定する。特定したアドレス帳情報から、変更通知送信先として登録されたメールアドレスを検索して（Ｓ１５）、変更通知送信先のメールアドレスを取得する。また、メールサーバ１１のメール作成部１１ｂが、携帯電話機６０から受信した旧アドレスおよび新アドレスに基づいて、図１３に示すような変更通知メールを作成する（Ｓ１６）。そして、メールサーバ１１は、メール作成部１１ｂで作成した変更通知メールを検索部１１ａが取得したメールアドレス宛に送信する（Ｓ１７）。
【００２４】
図１３に示すように変更通知メールの、新メールアドレスにはリンクが貼れており、このリンクには、変更通知メール受信者がこのリンクをクリックすると、受信者携帯電話機６０の表示画面が、アドレス帳の登録・修正画面に遷移するようなコマンドが記載されている。これにより、変更通知メール受信者がこのリンクをクリックすると、携帯電話機６０の制御部が、このコマンドを受け取り、受信者携帯電話機６０の表示画面をアドレス帳の登録・修正画面に遷移させるプログラムを起動させる。
【００２５】
また、上記リンクをクリックすると、携帯電話機６０が変更通知メールに記載された旧アドレスに基づいて、この旧アドレスが登録されたアドレス帳情報を検索して、新アドレスに自動的に変更するようにしてもよい。この場合も、上述同様、変更通知メールのリンク部に、携帯電話機の内部メモリに記憶された新アドレスに自動的に変更するプログラムを起動させる起動コマンドを記載しておく。そして、変更通知メール受信者がこのリンクをクリックすると、携帯電話機の制御部が、このコマンドを受け取り、携帯電話機の内部メモリに記憶されたプログラムを起動させて、新アドレスに自動的に変更する。
【００２６】
また、本実施形態においては、検索部１１ａは、検索用データベースが構築されたキャッシュサーバ１３を用いているが、アドレスバックアップサーバ１２内の記憶手段にバックアップされているアドレスデータテーブルを用いてもよい。
【００２７】
また、本実施形態では、利用者自ら新メールアドレスを設定しているが、メールサーバから、未登録の任意の新メールアドレスを取得するようにしてもよい。
【００２８】
以上、本実施形態のメールアドレス変更通知システムによれば、利用者の携帯電話機のアドレス帳におけるメール送受信用に登録されたメールアドレス宛に変更通知メールを送信することで、迷惑メール送信者に変更通知メールを送信することがない。
【００２９】
また、本実施形態メールアドレス変更通知システムは、携帯電話機に保存されているアドレス帳をバックアップするバックアップサーバを有している。これにより、携帯電話機に保存されたアドレス帳のデータが破損しても、バックアップサーバからバックアップされたアドレス帳をダウンロードすれば、携帯電話機に保存されたアドレス帳を修復することができる。
【００３０】
また、バックアップサーバにバックアップされたアドレス帳を用いて変更通知メールを送信している。これにより、メールサーバが変更通知メールを送信する際に携帯電話機と通信して携帯電話機に保存されているアドレス帳情報を取得する必要がなくなる。
【００３１】
また、バックアップサーバは、図２に示すように携帯電話機に保存されているアドレス帳情報が更新されたときに携帯電話機に保存されているアドレス帳情報を受信したり、図４に示すように携帯電話機に保存されているアドレス帳情報を定期的に受信したりして、携帯電話機に保存されているアドレス帳情報と同期がとられている。これにより、携帯電話機のアドレス帳は、変更された相手先のメールアドレスに更新されているが、バックアップサーバには、変更された相手先のメールアドレスに更新されないなどの不具合を抑制することができる。これにより、変更通知メールを確実に所定の相手先へ送信することができる。
【００３２】
また、メールサーバは、前記検索用のデータベースを有するキャッシュサーバから、メールアドレスを取得して、変更通知メールを送信している。このため、バックアップサーバの記憶手段たるデータベース１１ａのアドレス帳からメールアドレスを取得するものに比べてバックアップサーバの負荷を低減することができる。これにより、同期処理のスピードの低下を抑制することができる。
【００３３】
また、バックアップサーバのデータベース１１ａに保存されたアドレス帳は、パソコンなどでも編集できるようになっている。これにより、携帯電話機の表示画面よりも大きな表示画面をもつパソコンなどの通信端末でアドレス帳を編集することができ、携帯電話機のアドレス帳の編集を容易に行うことができる。
【図面の簡単な説明】
【００３４】
【図１】メールアドレス変更通知システムの概要を示すブロック図。
【図２】携帯電話機の外観図。
【図３】携帯電話機のハードウェア構成を示す概略構成図。
【図４】（ａ）、（ｂ）はアドレス帳のバックアップ処理を行うときのディスプレイの画面遷移の説明図。
【図５】バックアップサーバのデータベースに保存されているアドレステーブルを示す図。
【図６】（ａ）、（ｂ）はアドレス帳のバックアップのスケジュール設定処理を行うときのディスプレイの画面遷移の説明図。
【図７】アドレス情報編集時のアドレスバックアップサーバの制御フロー図。
【図８】アドレスバックアップサーバのアドレス情報を編集するときのシーケンス図。
【図９】（ａ）〜（ｃ）は変更通知メールの設定を行っているときの携帯電話機のディスプレイの画面遷移の説明図。
【図１０】（ａ）〜（ｄ）はメールアドレスの変更を行うときの携帯電話機のディスプレイの画面遷移の説明図
【図１１】メールアドレス変更時のメールアドレス変更通知システムのシーケンス図。
【図１２】メールアドレス変更時のメールアドレス変更通知システムの制御フロー図。
【図１３】変更通知メールの一例を示す図。
【符号の説明】
【００３５】
２    パーソナルコンピュータ
１０  メールアドレス変更通知システム
１１  メールサーバ
１２  バックアップサーバ
１３  キャッシュサーバ
６０  携帯電話機
【図１】
2007233483.tif 000003
【図２】
2007233483.tif 000004
【図３】
2007233483.tif 000005
【図４】
2007233483.tif 000006
【図５】
2007233483.tif 000007
【図６】
2007233483.tif 000008
【図７】
2007233483.tif 000009
【図８】
2007233483.tif 000010
【図９】
2007233483.tif 000011
【図１０】
2007233483.tif 000012
【図１１】
2007233483.tif 000013
【図１２】
2007233483.tif 000014
【図１３】
2007233483.tif 000015